(57)【特許請求の範囲】
【請求項１】
大当り図柄やはずれ図柄を表示するための図柄表示手段と、パチンコ球が所定入賞口に入賞した場合または所定ゲートを通過した場合に、所定の割合で大当りかはずれかを選択する大当り選択手段と、
該大当り選択手段により大当りが選択された場合に、前記図柄表示手段に表示させる大当り図柄を、複数種類の特定大当り図柄を含む複数の大当り図柄の内から選択する大当り図柄選択手段と、
前記大当り選択手段によりはずれが選択された場合に、前記図柄表示手段に表示させるはずれ図柄を選択するはずれ図柄選択手段と、
前記大当り図柄選択手段あるいは前記はずれ図柄選択手段により選択された図柄を前記図柄表示手段に表示させる表示指令手段と、
前記大当り図柄選択手段により特定大当り図柄が選択された場合に、前記大当り選択手段による次回以降の選択において少なくとも１回大当りが選択されるまで、大当りが選択される確率を高く設定する大当り確率設定手段と、
該大当り確率設定手段により大当りが選択される確率が高く設定されている状態で前記大当り選択手段により所定の制限回数だけ連続して大当りが選択された場合に、大当りが選択される確率を通常値に戻す確率通常化手段と
を備えるパチンコ遊技機において、
前記確率通常化手段における制限回数を変更する制限回数変更手段が設けられ、
前記特定大当り図柄の各々には、予め複数種類の制限回数のうちのいずれかが対応付けられており、
前記制限回数変更手段は、前記大当りが選択される確率が通常値に設定された状態と、高く設定された状態とのいずれにおいても、前記大当り図柄選択手段により特定大当り図柄が選択され、その選択された特定大当り図柄に予め対応付けられた制限回数が、変更前の制限回数よりも大きい場合は、前記選択された特定大当り図柄に予め対応付けられた制限回数を、前記確率通常化手段における制限回数として設定することを特徴とするパチンコ遊技機。
【請求項２】
前記制限回数変更手段によって設定された制限回数を表示する制限回数表示手段が設けられたことを特徴とする請求項１に記載のパチンコ遊技機。
【発明の詳細な説明】
【０００１】
【発明の属する技術分野】
本発明は、パチンコ遊技機に関し、特に、所謂リミッタ機能を有するパチンコ遊技機に関する。
【０００２】
【従来の技術】
従来、液晶ディスプレイや回転ドラム等の図柄表示装置を備えた第１種または第３種パチンコ遊技機においては、パチンコ球が始動口に入賞すると、または始動ゲートを通過すると、入賞タイミング等に基づいて所定の割合で大当りかはずれかが選択される。そして、大当りが選択された場合には、引続き大当り図柄の選択が行われる。ここで、大当り図柄とは、例えば、［１１１］、［２２２］、…、［９９９］等のことである。そして、選択された大当り図柄が特別図柄表示装置に表示される。続いて、第１種特別電動役物が作動して大入賞口の入口が開き、大当り遊技が行われる。そして、特に、選択された大当り図柄が［３３３］、［７７７］等の特定大当り図柄である場合には、例えば次回または次々回に大当りが選択されるまで大当りが選択される確率が高くなる。そして、大当りが選択される確率が高く設定されている状態において、特定大当り図柄で大当りとなれば、高確率状態が継続し、大当りが連続する連チャン状態となる。この様に構成されたパチンコ遊技機は、場合によっては連チャンが１０回以上となることもあり、非常に射幸性が強い。このため、射幸性を抑制する目的で、近年、高確率状態において大当りが連続する回数を最高４回とする規定が設けられた。そして、現在、遊技機には、高確率状態において大当りが４回連続した場合に、大当りが選択される確率を強制的に通常値に戻す、換言すれば高確率状態を強制的に停止させるリミッタ機能が設けられている。
【０００３】
【発明が解決しようとする課題】
しかし、この様な従来のパチンコ遊技機では、何れの特定大当り図柄で大当りとなっても、大当りの最高連続回数は５回に固定されているため、遊技が単調になりがちであった。
【０００４】
そこで、本発明は、遊技に変化を持たせることにより、遊技をより楽しいものとすることができるパチンコ遊技機を提供することを目的とする。
【０００５】
【課題を解決するための手段、及び発明の効果】
この様な目的を達成するため、本発明にかかるパチンコ遊技機は、請求項１に記載した様に、大当り図柄やはずれ図柄を表示するための図柄表示手段と、パチンコ球が所定入賞口に入賞した場合または所定ゲートを通過した場合に、所定の割合で大当りかはずれかを選択する大当り選択手段と、該大当り選択手段により大当りが選択された場合に、前記図柄表示手段に表示させる大当り図柄を、複数種類の特定大当り図柄を含む複数の大当り図柄の内から選択する大当り図柄選択手段と、前記大当り選択手段によりはずれが選択された場合に、前記図柄表示手段に表示させるはずれ図柄を選択するはずれ図柄選択手段と、前記大当り図柄選択手段あるいは前記はずれ図柄選択手段により選択された図柄を前記図柄表示手段に表示させる表示指令手段と、前記大当り図柄選択手段により特定大当り図柄が選択された場合に、前記大当り選択手段による次回以降の選択において少なくとも１回大当りが選択されるまで、大当りが選択される確率を高く設定する大当り確率設定手段と、該大当り確率設定手段により大当りが選択される確率が高く設定されている状態で前記大当り選択手段により所定の制限回数だけ連続して大当りが選択された場合に、大当りが選択される確率を通常値に戻す確率通常化手段とを備えるパチンコ遊技機において、前記確率通常化手段における制限回数を変更する制限回数変更手段が設けられ、前記特定大当り図柄の各々には、予め複数種類の制限回数のうちのいずれかが対応付けられており、前記制限回数変更手段は、前記大当りが選択される確率が通常値に設定された状態と、高く設定された状態とのいずれにおいても、前記大当り図柄選択手段により特定大当り図柄が選択され、その選択された特定大当り図柄に予め対応付けられた制限回数が、変更前の制限回数よりも大きい場合は、前記選択された特定大当り図柄に予め対応付けられた制限回数を、前記確率通常化手段における制限回数として設定することを特徴とする。
【０００６】
本発明にかかるパチンコ遊技機では、従来のパチンコ遊技機と同様に、遊技中、パチンコ球が所定の入賞口に入賞すると、または所定のゲートを通過すると、例えば第１種パチンコ遊技機では第１種始動口（スタートチャッカー）に入賞すると、大当り選択手段が、所定の割合で大当りかはずれかを選択する。そして、大当り選択手段によって大当りが選択されると、大当り図柄選択手段が、図柄表示手段、例えば第１種パチンコ遊技機では特別図柄表示装置に表示させる大当り図柄を選択する。そして、表示指令手段が、当該選択された大当り図柄を図柄表示手段に表示させる。ここで、大当り図柄には、特定大当り図柄を含む複数の大当り図柄があり、通常、特定大当り図柄は全大当り図柄の１／２以下となっている。そして、大当り図柄選択手段によって選択された大当り図柄が特定大当り図柄である場合には、大当り確率設定手段が、大当り選択手段による次回以降の選択において少なくとも１回大当りが選択されるまでの間、大当りが選択される確率を高く設定する。その後、大当りが選択され、大当り図柄選択手段が再び特定大当り図柄を選択した場合には、大当り確率設定手段が、さらに、大当り選択手段による次回以降の選択において少なくとも１回大当りが選択されるまでの間、引き続き大当りが選択される確率を高く設定する。そして、大当りが選択される確率が高く設定されている状態において大当り選択手段により所定の制限回数だけ連続して大当りが選択された場合には、確率通常化手段が、大当りが選択される確率を強制的に通常値に戻す。
【０００７】
そして、本発明にかかるパチンコ遊技機においては、この様な制御に並行して、さらに、制限回数変更手段が、確率通常化手段における制限回数を変更する。例えば、制限回数変更手段が初期値として制限回数を３としていれば、大当りが選択される確率が高く設定されている状態において大当り選択手段が連続して大当りを選択する回数は最高でも３回であり、大当りが選択される確率が高く設定される起因となった初回の大当りを含めて大当りが連続する回数は最高４回である。そして、遊技中、制限回数変更手段が制限回数を例えば４に変更すれば、大当りが選択される確率が高く設定されている状態において大当り選択手段が連続して大当りを選択する回数は最高４回となり、初回の大当りを含めると、大当りが連続する回数は最高５回となる。この様に、本発明にかかるパチンコ遊技機では、制限回数変更手段によって制限回数が変更されるので、遊技に変化を持たせることができ、遊技をより楽しいものとすることができる、という効果が得られる。
【０００９】
本発明にかかるパチンコ遊技機がこの様に構成されている場合には、大当り図柄選択手段により特定大当り図柄が選択されると、制限回数設定手段は、その選択された特定大当り図柄に予め対応付けられた制限回数が、変更前の制限回数よりも大きい場合は、選択された特定大当り図柄に予め対応付けられた制限回数を、確率通常化手段における制限回数として設定する。
【００１０】
従来のパチンコ遊技機で遊技を行う際には、遊技者は、図柄表示手段に表示される大当り図柄が特定大当り図柄であるか否かを識別するだけであり、特定大当り図柄の内の何れの図柄であるのかという点にはあまり興味がなかった。このため、図柄表示手段が多種類の特定大当り図柄を表示する機能を有しているにもかかわらず、その機能は十分に活用されていなかった。しかし、前述した様に、特定大当り図柄毎に制限回数が設定されていれば、遊技者は、何れの特定大当り図柄が表示されるかによって一喜一憂する。従って、遊技をより楽しいものとすることができる。また、図柄表示手段の機能を十分に活用することができる、という効果も得られる。
【００１３】
なお、本発明にかかるパチンコ遊技機においては、制限回数変更手段によって制限回数が変更されるので、遊技者に対して明瞭に制限回数を知らせることが望ましい。
【００１４】
そこで、請求項２に記載した様に、本発明にかかるパチンコ遊技機は、前記制限回数変更手段によって設定された制限回数を表示する制限回数表示手段が設けられているとよい。
本発明にかかるパチンコ遊技機がこの様に構成されている場合には、遊技者は、制限回数表示手段の表示を見ることによって、設定されている制限回数を容易に理解することができ、遊技の参考とすることができる。従って、遊技をより楽しいものとすることができる。
【００１５】
【発明の実施の形態】
以下、本発明の一実施例を図面に基づいて説明する。
まず、本実施例のパチンコ遊技機の構成について説明する。
図１は、本実施例のパチンコ遊技機の要部の構成を説明するためのブロック図である。
【００１６】
本実施例のパチンコ遊技機は、図１に示す様に、第１種始動口にパチンコ球が入賞したことを検出するための第１種始動口入賞センサ１１と、大入賞口にパチンコ球が入賞したことを検出するための大入賞口入賞センサ１３と、大入賞口内の特定領域にパチンコ球が入賞したことを検出するための特定領域入賞センサ１５と、マイクロコンピュータ２０と、大当り図柄あるいははずれ図柄等を表示するための特別図柄表示装置４１と、特別図柄表示装置４１に大当り図柄が表示されることに起因して大入賞口を開閉させる第１種特別電動役物４３と、パチンコ遊技機の稼動状況をホールコンピュータに知らせるための外部出力端子ＥＸＴとを備える。マイクロコンピュータ２０は、各種演算制御処理を行うＣＰＵ２１と、ＣＰＵ２１の処理手順等を記憶するＲＯＭ２３と、ＣＰＵ２１の処理結果等を一時的に記憶するＲＡＭ２５と、ＣＰＵ２１とＲＯＭ２３及びＲＡＭ２５とを接続するバス２７と、センサ１１〜１５による検出内容をＣＰＵ２１に供給するための入力インタフェース２９と、ＣＰＵ２１による処理結果を特別図柄表示装置４１、第１種特別電動役物４３及び外部出力端子ＥＸＴに供給するための出力インタフェース３１とを備える。なお、本実施例のパチンコ遊技機は、この他にも、従来のパチンコ遊技機と同様の一般入賞口等を備えるが、説明は省略する。
【００１７】
なお、後述する大当り図柄とは、［０００］、［１１１］、［２２２］、［３３３］、…、［７７７］、［８８８］、［９９９］、［○○○］、［☆☆☆］、［◇◇◇］、［×××］、［△△△］の１５図柄のことであり、この中の、［１１１］、［３３３］、［５５５］、［７７７］、［９９９］、［☆☆☆］、［×××］を特定大当り図柄、残りの８図柄を非特定大当り図柄ということとする。また、特定大当り図柄の内、特に［３３３］、［７７７］、［☆☆☆］を特殊特定大当り図柄ということとする。
【００１８】
続いて、本実施例のパチンコ遊技機の作用について説明する。
まず、図示しない電源装置からパチンコ遊技機に電力が供給されると、ＣＰＵ２１は、初期設定処理等を行った後、第１種始動口入賞センサ１１からの入力があるまで待機する。そして、遊技者が遊技を開始してパチンコ球が第１種始動口に入賞し、第１種始動口入賞センサ１１がパチンコ球の入賞を検出すると、ＣＰＵ２１は、図２のフローチャートに示す処理を開始する。
【００１９】
この処理が開始されると、ＣＰＵ２１は、第１種始動口入賞センサ１１による検出タイミング等を用いて所定の割合で大当りかはずれかを選択する（Ｓ１０）。そして、はずれを選択した場合には（Ｓ２０において「ＮＯ」）、特別図柄表示装置４１に表示させるはずれ図柄を選択する（Ｓ２５）。そして、選択したはずれ図柄を特別図柄表示装置４１に表示させ（Ｓ９０）、処理を終了する。
【００２０】
一方、ＣＰＵ２１が大当りを選択した場合には（Ｓ２０において「ＹＥＳ」）、連続大当り回数Ｎと制限回数Ｌとを比較する（Ｓ３０）。なお、制限回数Ｌの初期値は１となっている。そして、連続大当り回数Ｎが制限回数Ｌ以下である場合には（Ｓ３０において「ＹＥＳ」）、全図柄、即ち特定大当り図柄及び非特定大当り図柄の中から特別図柄表示装置４１に表示させる大当り図柄を選択する（Ｓ３３）。そして、Ｓ３３において選択した大当り図柄が非特定大当り図柄である場合には（Ｓ４０において「ＮＯ」）、制限回数Ｌを初期化する（Ｓ６６）。また、連続大当り回数Ｎも初期化する（Ｓ７５）。そして、大当りが選択される確率を通常値、例えば０．３％程度に設定する（Ｓ８５）。そして、選択した非特定大当り図柄を特別図柄表示装置４１に表示させ（Ｓ９０）、処理を終了する。また、連続大当り回数Ｎが制限回数Ｌを越えている場合には（Ｓ３０において「ＮＯ」）、非特定大当り図柄の中から大当り図柄を選択し（Ｓ３６）、制限回数Ｌ及び連続大当り回数Ｎを初期化し（Ｓ６６、Ｓ７５）、大当りが選択される確率を通常値に設定し、選択した非特定大当り図柄を特別図柄表示装置４１に表示させ（Ｓ９０）、処理を終了する。
【００２１】
そして、ＣＰＵ２１が選択した大当り図柄が特定大当り図柄である場合には（Ｓ４０において「ＹＥＳ」）、制限回数Ｌが４であるか否かを判断する（Ｓ５０）。そして、制限回数Ｌが４でない場合には（Ｓ５０において「ＮＯ」）、Ｓ３３において選択した大当り図柄が特殊特定大当り図柄であるか否かを判断する（Ｓ６０）。そして、特殊特定大当り図柄である場合には（Ｓ６０において「ＹＥＳ」）、制限回数Ｌを４に設定し（Ｓ６２）、特殊特定大当り図柄でない場合には（Ｓ６０において「ＮＯ」）、制限回数Ｌを２に設定する（Ｓ６４）。そして、連続大当り回数Ｎを１増加させる（Ｓ７０）。なお、すでに制限回数Ｌが４に設定されている場合には（Ｓ５０において「ＹＥＳ」）、制限回数Ｌは４のままで、連続大当り回数Ｎを１増加させる（Ｓ７０）。そして、大当りが選択される確率を高確率、例えば２〜３％程度に設定し、選択した特定大当り図柄を特別図柄表示装置４１に表示させ（Ｓ９０）、処理を終了する。
【００２２】
そして、ＣＰＵ２１により大当りが選択され（Ｓ２０において「ＹＥＳ」）、特別図柄表示装置４１に大当り図柄が表示されて処理が終了すると、ＣＰＵ２１は、第１種特別電動役物４３に指令を出し、大入賞口を開口させ、所定時間経過後に閉口させる。ここで、大入賞口が開口している間に大入賞口内の特定領域を通過し、特定領域入賞センサ１５により検出されると、大入賞口は、一旦閉口された後で再び所定時間開口され、この動作は例えば最高１６回繰り返される。なお、大入賞口の開閉動作については、一般によく知られているので、詳細な説明は省略する。
【００２３】
次に、遊技者が遊技を開始し、大当りが選択され、遊技者が遊技を終了するまでの具体的な遊技内容について一例を挙げて説明する。
まず、遊技者が遊技を開始し、パチンコ球が第１種始動口に入賞すると、ＣＰＵ２１により、大当りかはずれかが選択される（Ｓ１０）。なお、初期状態では大当りが選択される確率が低く設定されているので、多くの場合はずれが選択される。そして、はずれが選択されると、Ｓ２０において「ＮＯ」となり、はずれ図柄が選択され（Ｓ２５）、選択されたはずれ図柄が特別図柄表示装置４１に表示される（Ｓ９０）。
【００２４】
そして、この様なはずれ処理が何回か行われた後、ＣＰＵ２１により大当りが選択されると、Ｓ２０において「ＹＥＳ」となり、連続大当り回数Ｎと制限回数Ｌとが比較される（Ｓ３０）。なお、初めて大当りとなった場合には連続大当り回数Ｎ及び制限回数Ｌは共に１となっているので、Ｓ３０において「ＹＥＳ」となり、特定大当り図柄及び非特定大当り図柄の中から大当り図柄が選択される（Ｓ３３）。ここで、大当り図柄として［２２２］（非特定大当り図柄）が選択された場合には（Ｓ４０において「ＮＯ」）、連続大当り回数Ｎ及び制限回数Ｌは１のまま（Ｓ６６、Ｓ７５）、大当りが選択される確率は低く設定されたまま（Ｓ８５）、選択された［２２２］が表示され（Ｓ９０）、前述した様に大入賞口が開口される。
【００２５】
そして、大当り図柄として［５５５］（特定大当り図柄）が選択された場合には、Ｓ４０において「ＹＥＳ」となり、制限回数Ｌが４であるかが判断される（Ｓ５０）。なお、初めて特定大当り図柄が選択された場合には制限回数Ｌは１となっているので、Ｓ５０において「ＮＯ」となり、Ｓ６０に進む。［５５５］は特殊特定大当り図柄ではないので、Ｓ６０において「ＮＯ」となり、制限回数Ｌが２に設定され（Ｓ６４）、連続大当り回数Ｎ（＝１）に１が加えられて２となる（Ｓ７０）。そして、大当りが選択される確率が高く設定され（Ｓ８０）、［５５５］が表示される（Ｓ９０）。そして、同様に大入賞口が開口される。
【００２６】
そして、次に大当りが選択されると（Ｓ２０において「ＹＥＳ」）、制限回数Ｌ及び連続大当り回数Ｎは共に２となっているので、Ｓ３０において「ＹＥＳ」となり、再び特定大当り図柄及び非特定大当り図柄の中から大当り図柄が選択される（Ｓ３３）。そして、［１１１］（特定大当り図柄）が選択された場合には、Ｓ４０において「ＹＥＳ」となり、Ｓ５０に進む。そして、制限回数Ｌが２となっているので、Ｓ５０において「ＮＯ」となり、Ｓ６０に進む。［１１１］は特殊特定大当り図柄ではないので、Ｓ６０において「ＮＯ」となる。そして、制限回数Ｌが２に設定され、即ち２のまま変更されず（Ｓ６４）、連続大当り回数Ｎ（＝２）に１が加えられて３となる（Ｓ７０）。そして、再び大当りが選択される確率が高く設定され（Ｓ８０）、［１１１］が表示される（Ｓ９０）。
【００２７】
そして、次に大当り（連続３回目の大当り）が選択されると（Ｓ２０において「ＹＥＳ」）、制限回数Ｌは２、連続大当り回数Ｎは３となっているので、Ｓ３０において「ＮＯ」となり、非特定大当り図柄の中から大当り図柄が選択される（Ｓ３６）。そして、例えば［４４４］が選択され、制限回数Ｌ及び連続大当り回数Ｎが初期化される（Ｓ６６、Ｓ７５）と共に、大当りが選択される確率が低く設定される（Ｓ８５）。そして、［４４４］が表示される。
【００２８】
その後、Ｓ３３において［７７７］（特殊特定大当り図柄）が選択された場合には、Ｓ６０において「ＹＥＳ」となり、制限回数Ｌが４に設定され（Ｓ６２）、最高で４回連続特定大当り図柄を選択することが可能となる。ただし、仮に４回連続で特定大当り図柄を選択することができたとしても、５回目にはＳ３０において「ＮＯ」となり、必ず非特定図柄が選択される。また、Ｓ３３において［５５５］（特定大当り図柄）が選択されて制限回数Ｌが２に設定された次の大当りで［７７７］（特殊特定大当り図柄）が選択された場合には、制限回数Ｌは２から４に更新される。これは、［７７７］等の特殊特定大当り図柄が選択された次の大当りで必ず非特定大当り図柄が選択されるのは、遊技者にとって酷となるからである。一方、［７７７］（特殊特定大当り図柄）が選択されて制限回数Ｌが一度４に設定された後は、Ｓ５０において「ＹＥＳ」となるので、例えば［１１１］や［５５５］等の特殊特定大当り図柄でない特定大当り図柄が選択されても制限回数Ｌは４のままである。
【００２９】
次に、本実施例のパチンコ遊技機の効果について説明する。
本実施例のパチンコ遊技機においては、遊技中に制限回数Ｌが変更されるので、遊技に変化を持たせることができ、遊技をより楽しいものとすることができる。また、特定大当り図柄が特殊特定大当り図柄であるか否かによって設定される制限回数Ｌの値が決まるので、遊技者は、表示された特定大当り図柄が特殊特定大当り図柄であるか否かによって一喜一憂する。従って、遊技をより楽しいものとすることができる。また、特別図柄表示装置４１の機能、即ち多種類の特定大当り図柄を表示することができる機能を十分に活用することができる。
【００３０】
なお、上記実施例において、特別図柄表示装置４１が前述した図柄表示手段に該当し、ＣＰＵ２１が行う処理の内、Ｓ１０の処理が大当り選択手段の処理に該当し、Ｓ３３及びＳ３６の処理が大当り図柄選択手段の処理に該当し、Ｓ２５の処理がはずれ図柄選択手段の処理に該当し、Ｓ９０の処理が表示指令手段の処理に該当し、Ｓ８０及びＳ８５の処理が大当り確率設定手段の処理に該当し、Ｓ３０の処理が確率通常化手段の処理に該当し、Ｓ５０、Ｓ６０、Ｓ６２及びＳ６４の処理が制限回数変更手段の処理に該当する。
【００３１】
以上、本発明の一実施例について説明したが、本発明は上記実施例に何等限定されるものではなく、上記実施例以外にも種々の形態で実施することができる。例えば、上記実施例では、特殊特定大当り図柄が選択されれば制限回数Ｌを４とし、それ以外の特定大当り図柄が選択されれば制限回数Ｌを２とする様に構成されているが、法律や規則等に反しなければ、例えば、［３３３］、［７７７］が選択されれば制限回数Ｌを６とし、［１１１］が選択されれば５とし、［５５５］が選択されれば４とし、［９９９］が選択されれば３とし、［☆☆☆］、［×××］が選択されれば２とし、平均として制限回数Ｌが４となる様に構成してもよい。この様に構成した場合には、上記実施例のパチンコ遊技機よりも射幸性を向上させることができる。
【００３２】
また、上記実施例では、特定大当り図柄と制限回数Ｌとを対応させ、選択された特定大当り図柄によって制限回数Ｌを変更する様に構成されているが、大当り図柄の選択と、制限回数Ｌの選択とを独立させて行う様に構成されていてもよい。この様に構成されている場合には、遊技者は、大当り図柄が選択される際だけでなく、制限回数Ｌが選択される際にも期待感を持って遊技に熱中することとなり、遊技をより楽しいものとすることができる。
【００３３】
また、上記実施例では、制限回数Ｌを２から４に変更するだけであったが、各特定大当り図柄に１から４までの制限回数変更値Ｘを対応させておき、特定大当り図柄が選択される度に、各特定大当り図柄に対応する制限回数変更値Ｘを加算した値を制限回数Ｌとして用いる様に構成してもよい。ただし、制限回数変更値Ｘを加算した結果が４を越えた場合には、制限回数Ｌを４とし、それ以上は加算しない。この様に構成した場合には、さらに遊技に変化を持たせることができ、さらに遊技を楽しいものとすることができる。なお、同様に、法律や規則等に反しなければ、制限回数変更値Ｘの合計が４を越えても、そのまま制限回数Ｌとして用いることができる。
【００３４】
また、特別図柄表示装置４１は、特定大当り図柄を構成する数字あるいは記号（１、３、５、７、９、☆、×）を点滅表示する様に構成されていてもよい。点滅表示する具体的な方法としては、特別図柄表示装置４１が液晶ディスプレイによって構成されている場合には、数字あるいは記号の表示色を例えば赤色から黄色、黄色から赤色に短周期で切り換える方法等を挙げることができる。この様に構成した場合には、遊技者が、何れの数字（あるいは記号）が特定大当り図柄の数字（あるいは記号）であるのかを容易に識別することができ、遊技性を向上させることができる。なお、さらに、特殊特定大当り図柄を構成する３、７、☆をより短い周期で、あるいはより明るい色で点滅させることにより、何れの数字（あるいは記号）が特殊特定大当り図柄の数字（あるいは記号）であるのかを容易に識別することができる様に構成してもよい。
【００３５】
また、本実施例のパチンコ遊技機において、設定された制限回数Ｌに１を加えた数を、「最大連チャン回数」として特別図柄表示装置４１に表示させる様に構成されていてもよい。具体的な表示方法としては、図３、４に示す様なものを挙げることができる。図３は、所謂リーチ状態における表示例であり、［３３３］で大当りとなれば最大５連チャン可能である、即ち制限回数Ｌは４であることを表しており、（ａ）は漢数字により、（ｂ）は●の数により、（ｃ）はキャラクタによりそれぞれ表示されている。また、図４は、大当り状態における表示例であり、（ａ）は現在［５５５］で連続３回目の大当り状態であり、最大５連チャン可能であることを表しており、（ｂ）は現在［７７７］で連続４回目の大当り状態であり、最大７連チャン可能であることを表している。この様に構成されている場合には、遊技者は、特別図柄表示装置４１の表示から、設定されている制限回数Ｌを容易に理解することができ、遊技の参考とすることができる。従って、遊技をより楽しいものとすることができる。特に、大当り図柄の選択と、制限回数Ｌの選択とを独立させて行う様に構成した場合には、表示された特定大当り図柄から制限回数Ｌを読み取ることができないので、表示することが望ましい。なお、制限回数Ｌは特別図柄表示装置４１に表示させてもよいし、別途表示装置を設けて表示させてもよい。
【００３６】
また、上記実施例では、特定大当り図柄が選択された場合に次回に大当りが選択されるまで大当りが選択される確率を高く設定する所謂１回ループ制を採用しているが、特定大当り図柄が選択された場合に次々回に大当りが選択されるまで大当りが選択される確率を高く設定する所謂２回ループ制を採用してもよい。さらに、上記実施例では、第１種パチンコ遊技機を挙げて説明したが、本発明は、第３種パチンコ遊技機においても同様に適用することができる。
【図面の簡単な説明】
【図１】  パチンコ遊技機の要部の構成を表すブロック図である。
【図２】  ＣＰＵが行う処理の流れを表すフローチャートである。
【図３】  リーチ状態における特別図柄表示装置の表示内容を表す説明図である。
【図４】  大当り状態における特別図柄表示装置の表示内容を表す説明図である。
【符号の説明】
１１…第１種始動口入賞センサ    １３…大入賞口入賞センサ    １５…特定領域入賞センサ    ２０…マイクロコンピュータ    ２１…ＣＰＵ    ２３…ＲＯＭ    ２５…ＲＡＭ    ２７…バス    ２９…入力インタフェース    ３１…出力インタフェース    ４１…特別図柄表示装置    ４３…第１種特別電動役物。
【図１】
0004345109.tif 000002
【図２】
0004345109.tif 000003
【図３】
0004345109.tif 000004
【図４】
0004345109.tif 000005